(57)【要約】【課題】従来の電磁遮蔽材は、機器や装置などを小形化、軽量化、あるいは低価格化することが困難であった。本発明は、機器や装置などが大型化、重量化、高価格化になると言う課題を解決し、軽量で扱い易い、優れた電磁遮蔽効果を得られる部材を提供するものである。【解決手段】鉄の配合比率が３〜２０％の銅と鉄の合金を有する基材を備えることを特徴とする電磁遮蔽部材およびその製造方法。これにより、機器や装置、防具などを小型・軽量化することができ、さらに基材の種類を適宜に選ぶことによって、使用温度範囲を拡大することができる。【選択図】図１
2014086620.tif 000002
【特許請求の範囲】
【請求項１】
鉄の配合比率が３〜２０％の銅と鉄の合金を有する基材を備えることを特徴とする電磁遮蔽部材。
【請求項２】
前記鉄の配合比率が５〜１０％であることを特徴とする請求項１に記載の電磁遮蔽部材。
【請求項３】
前記部材は、シート、テープ、カード、細線、網、布のいずれかであることを特徴とする請求項１または２に記載の電磁遮蔽部材。
【請求項４】
請求項１〜３のいずれか一項の電磁遮蔽部材を用意し、前記遮蔽部材の一方の面、もしくは両方の面を粗化することを特徴とする電磁遮蔽部材の製造方法。
【発明の詳細な説明】
【技術分野】
【０００１】
本発明は銅と鉄の合金を用い、電磁波を遮蔽することができる電磁波遮蔽部材、および電磁波遮蔽部材の製造方法に関わるものである。
【背景技術】
【０００２】
従来、電磁波を遮蔽するために、高価な金属を用いたり金属や樹脂などとの混合物を用いたりし、さらにその効果を高めるためにそれらを多層に重ねて用いたりしていた。従来の電磁遮蔽を目的としたテープなどが、現在非特許文献１または非特許文献２に開示されている。
【先行技術文献】
【非特許文献】
【０００３】
【非特許文献１】日立金属株式会社  ＵＲＬ：製品情報  ＥＭＣノイズ対策部品       ファインメット：FT−3M
【非特許文献２】住友スリーエム株式会社  ＵＲＬ：電子用接合材料製品       ノイズ抑制シート：AB5000シリーズ／AB7000シリーズ
【発明の概要】
【発明が解決しようとする課題】
【０００４】
従来の電磁遮蔽用テープを使用した場合、機器や装置などを小形化、軽量化あるいは低価格化することが困難であった。本発明は、機器や装置などが大型化、重量化、高価格化になると言う課題を解決し、軽量で扱い易い、優れた電磁遮蔽効果を得られる部材を提供するものである。
【課題を解決するための手段】
【０００５】
本発明の第１の態様は、電磁波遮蔽の特性と導電性の必要性とから銅に対し鉄の比率を３〜２０％含有させた合金（以下、銅鉄合金と呼ぶ）を有する基材を備える電磁波遮蔽部材である。さらに、本発明の第２の態様によれば、鉄の配合比率が５〜１０％であることを特徴とする電磁遮蔽部材である。第３の態様としては、軽量で手軽に優れた電磁遮蔽効果を得られることである。
本発明の電磁波遮蔽部材の製造方法は、上述の態様のいずれか一つの電磁波遮蔽部材を用意して行う。  図１に本部材の鉄の配合比率による電磁遮蔽特性を示す。
【発明の効果】
【０００６】
従来、人体ならびに各種産業に於いて機器や装置の性能に影響を与える電磁波の遮蔽を行なうために、多層の金属箔や線材で構成されたものを使用して来たのに比し、本発明は簡略な構造で電磁遮蔽効果を十分に発揮することが出来る。
鉄の配合比率が３〜２０％の銅と鉄の合金を有する基材を備えることを特徴とする電磁遮蔽部材、なかんずく、鉄の配合比率が５〜１０％であることを特徴とする電磁遮蔽部材を用いることにより、軽量で手軽に、広い温度範囲で電磁波遮蔽効果を高めることができ、コスト低減にも寄与する。また、基材を用いる場合に、その種類を適切に選ぶことにより、広い範囲での使用温度を確保できる。  図２に鉄の配合比率５％の銅鉄合金の周波数特性を示す。
【図面の簡単な説明】
【０００７】
【図１】鉄の配合比率による銅鉄合金の電磁遮蔽特性を示す図である。
【図２】鉄の配合比率５％の銅鉄合金の周波数特性を示す図である。
【図３】本発明の実施形態に関わる電磁遮蔽テープの斜視図である。
【図４】本発明に係る電磁波遮蔽収納箱の斜視図である。
【図５】収納カードケースの斜視図である。
【発明を実施するための形態】
【０００８】
本発明は、鉄の配合比率が５〜１０％の銅鉄合金を箔状または細線に加工し、紙・エポキシ樹脂などのシートあるいはテープ状の物質に密着、あるいは布網状に織編させたものである。両面接着テープなどにこの箔状の銅鉄合金を貼ったものを、機器や装置の近傍電磁波の発生源に直接、間接に貼り付けることにより、僅か１０〜５０μmの厚さで電磁波の優れた遮蔽効果を得ることができる。
本明細において、テープとは、薄板、箔状の金属、ガラス、樹脂、あるいは布、紙などを帯状に加工したもの言い、シートとは、前記部材をさらに広がりのあるものに展開、加工したものを言う。
【０００９】
電磁波遮蔽テープは、以下の工程で製造される。
１）  銅鉄合金を厚さ５μｍ〜６０μｍの箔状に加工する。
２）  規定の幅に裁断し、箔テープを作製する。
３）  片面を租化する。（則ち、部材の片面に溶剤を塗布し、稀塩酸液に浸漬後、水洗→安定剤処理→水洗を行った後、乾燥させる。）
４）  樹脂・紙材などの両面接着テープに貼り付ける。
５）  加熱、乾燥し、焼き付ける。
６）  各種規定幅および長さに切断する。
【００１０】
電磁波遮蔽シートは、以下の工程で製造される。
１）  銅鉄合金を厚さ５μｍ〜３０μｍの箔状に加工する。
２）  規定の幅に裁断する。
３）  片面を租化する。
４）  厚さ５〜１００μｍの樹脂材の両面接着テープに貼り付ける。
５）  樹脂または金属製の基材に貼り付ける。
６）  加熱、乾燥し、焼き付ける。
【００１１】
電磁波遮蔽布は、以下の工程で製造される。
１）  銅鉄合金を厚さ５μｍ〜３０μｍの箔状に加工する。
２）  規定の幅に裁断する。
３）  片面を租化する。
４）  片面接着テープに貼り付ける。
５） 加熱、乾燥し、焼き付ける。
６） 樹脂または金属製の基材に貼り付ける。
７）  ３０〜１００μｍに裁断する。
８）  糸状になったものを布に織り込む。
【００１２】
電磁波遮蔽被覆線は、以下の工程で製造される。
１）  銅鉄合金を直径２０〜１００μｍの線材に加工する。
２）  表面に被覆材を装着する。
【００１３】
電磁波遮蔽細線を使用した網は、銅鉄合金の細線または電磁波遮蔽被覆線を編状に編み上げて製造される。
【００１４】
電磁波遮蔽細線を使用した衣類は、電磁遮蔽布を縫製し、作業着、エプロン等として仕上げられる。
【００１５】
電磁波遮蔽細線を使用した窓ガラスは、電磁波遮蔽細線をアクリル・エマルジョン等の透明な樹脂で被覆して網に編んだものを、ガラス窓に張り付けまたは埋め込むことにより半透明の電磁波遮蔽窓として製造される。
【実施例】
【００１６】
本発明に関わる電磁遮蔽部材の実施例について、図３〜５を参照しつつ説明する。以下の実施形態は例示であり、本発明は本実施形態に限定されるものではない。
【００１７】
「図３」は本発明品の基本構成である。すなわち箔状の銅鉄合金を両面粘着テープの片側に貼り付けたものである。
【００１８】
「図４」本発明に係る電磁波遮蔽収納箱の例である。円筒形の収納ボックスの表面（または内面）に本発明のシートを貼ることにより、内部の収納物が外部の電磁波より守られる。
【００１９】
「図５」収納カードケースの例である。銀行の通帳あるいはキャッシュカード等のケース表面（または内部）に、本発明のシートを装着することにより、収納された磁気製品が外部の電磁波の影響から守られる。
【符号の説明】
【００２０】
１  銅鉄合金箔テープ
２  樹脂材の両面接着基材テープ
３  銅鉄合金箔テープ
４  銅鉄合金箔入り収納ボックス
５  銅鉄合金箔入り収納ケース
６  キャシュカード
【図１】
2014086620.tif 000003
【図２】
2014086620.tif 000004
【図３】
2014086620.tif 000005
【図４】
2014086620.tif 000006
【図５】
2014086620.tif 000007